(57)【要約】【課題】２台の除湿器を用いて夜間の乾燥だけでなく昼間の除湿も効率的に行うことができる除湿空調装置を提供する。【解決手段】除湿空調装置１は、第１デシカントロータ１９Ａを有する第１除湿器１１Ａと、第２デシカントロータ１９Ｂを有する第２除湿器１１Ｂと、第１除湿器及び第２除湿器を被空調室１０１に直列に接続し、被空調室の外部の空気を第１除湿器の入口に供給し、第１除湿器及び第２除湿器のそれぞれにより除湿された空気を被空調室に供給する直列状態と、第１除湿器及び第２除湿器を被空調室に並列に接続する並列状態と、に切替え可能な切替え部４６と、を備える。【選択図】図１
2019056521.tif 000002
【特許請求の範囲】
【請求項１】
第１デシカントロータを有する第１除湿器と、
第２デシカントロータを有する第２除湿器と、
前記第１除湿器及び前記第２除湿器を被空調室に直列に接続し、前記被空調室の外部の空気を前記第１除湿器の入口に供給し、前記第１除湿器及び前記第２除湿器のそれぞれにより除湿された空気を前記被空調室に供給する直列状態と、前記第１除湿器及び前記第２除湿器を前記被空調室に並列に接続する並列状態と、に切替え可能な切替え部と、
を備える除湿空調装置。
【請求項２】
前記切替え部は前記直列状態であるときに、前記被空調室内の空気を前記第１除湿器の入口に供給する請求項１に記載の除湿空調装置。
【請求項３】
前記第１除湿器は、前記第１デシカントロータで除湿させる空気を流すための第１送風機を有し、
前記第２除湿器は、前記第２デシカントロータで除湿させる空気を流すための第２送風機を有し、
前記第１送風機及び前記第２送風機を制御する制御部を備え、
前記制御部は、前記切替え部が前記直列状態であるときに、前記第１送風機及び前記第２送風機の一方を予め定められた第１電力で運転し、前記第１送風機及び前記第２送風機の他方を予め定められた前記第１電力よりも低い第２電力で運転する請求項１又は２に記載の除湿空調装置。
【請求項４】
前記制御部は、前記切替え部が前記直列状態であるときに、前記第２送風機を前記第１電力で運転し、前記第１送風機を前記第２電力で運転する請求項３に記載の除湿空調装置。
【請求項５】
被空調室の外部の空気を第１デシカントロータを有する第１除湿器により除湿し、さらに第２デシカントロータを有する第２除湿器により除湿して、前記被空調室内に供給する運転と、
前記被空調室内の空気を前記第１除湿器により除湿して前記被空調室内に供給すると同時に、前記被空調室内の空気を前記第２除湿器により除湿して前記被空調室内に供給する運転と、
を切替えて前記被空調室内の除湿を行う除湿空調方法。
【発明の詳細な説明】
【技術分野】
【０００１】
本発明は、除湿空調装置及び除湿空調方法に関する。
【背景技術】
【０００２】
従来、空気中の水蒸気を除湿する除湿器に、デシカントロータが用いられている（例えば、特許文献１から３参照）。デシカントロータは、扁平円筒体と、扁平円筒体に担持させた吸着剤と、で構成されている。デシカントロータは、水蒸気を吸着して除湿する。この後で、デシカントロータにおける水蒸気を吸着させた領域を、加熱した低湿度の空気にさらす。この結果、空気の保有熱により、デシカントロータ中の水蒸気がデシカントロータの外部に放出される。
【０００３】
例えば、除湿器を用いて除湿される被空調室は、食肉工場で使用される。この場合、被空調室内で作業終了後に、被空調室内を温水で洗浄すると、被空調室内に多量の水蒸気が発生する。水蒸気の発生量が多いと、水蒸気が凝縮することで生じた水が、被空調室の床や壁等に付着することがある。
【０００４】
被空調室内に作業者がいる昼間の除湿では、作業者の呼吸のために被空調室内の換気を行う必要がある。この場合、被空調室の外部の空気が、除湿されたうえで、被空調室内に供給される。一方、被空調室内に作業者がいない夜間の乾燥では、換気の必要はないが、床や壁等に付着した水を、次の昼間までに乾燥させる必要がある。
【先行技術文献】
【特許文献】
【０００５】
【特許文献１】特許第４８７０８４３号公報
【特許文献２】特許第６０５７５７３号公報
【特許文献３】特開２０１５−２１０００５号公報
【発明の概要】
【発明が解決しようとする課題】
【０００６】
被空調室内が広いと、１台の除湿器で夜間に充分な乾燥をすることが困難になる。そこで、２台の除湿器を並列に用いて被空調室内の夜間の乾燥をすることが検討されている。
一方、夏期の昼間等のように被空調室の外部の空気の絶対湿度が高い場合には、除湿器による１段の除湿では外気を充分に除湿することができない。このため、除湿器の前段にプレクーラが必要になる。このため、夜間の乾燥には２台の除湿器が必要である一方、昼間の除湿には１台の除湿器及びプレクーラが必要になり、システムとして非効率である。
【０００７】
本発明は、このような問題点に鑑みてなされたものであって、２台の除湿器を用いて夜間の乾燥だけでなく昼間の除湿も効率的に行うことができる除湿空調装置及び除湿空調方法を提供することを目的とする。
【課題を解決するための手段】
【０００８】
上記課題を解決するために、この発明は以下の手段を提案している。
本発明の除湿空調装置は、第１デシカントロータを有する第１除湿器と、第２デシカントロータを有する第２除湿器と、前記第１除湿器及び前記第２除湿器を被空調室に直列に接続し、前記被空調室の外部の空気を前記第１除湿器の入口に供給し、前記第１除湿器及び前記第２除湿器のそれぞれにより除湿された空気を前記被空調室に供給する直列状態と、前記第１除湿器及び前記第２除湿器を前記被空調室に並列に接続する並列状態と、に切替え可能な切替え部と、を備えることを特徴としている。
【０００９】
また、本発明の除湿空調方法は、被空調室の外部の空気を第１デシカントロータを有する第１除湿器により除湿し、さらに第２デシカントロータを有する第２除湿器により除湿して、前記被空調室内に供給する運転と、前記被空調室内の空気を前記第１除湿器により除湿して前記被空調室内に供給すると同時に、前記被空調室内の空気を前記第２除湿器により除湿して前記被空調室内に供給する運転と、を切替えて前記被空調室内の除湿を行うことを特徴としている。
【００１０】
これらの発明によれば、昼間の除湿をするときには、第１除湿器により除湿された空気を第２除湿器によりさらに除湿することにより、外部の空気の絶対湿度が高い場合でもプレクーラを用いることなく、外部の空気を充分に除湿することができる。一方、夜間の乾燥をするときには、被空調室内の空気を第１除湿器により除湿して被空調室内に供給すると同時に、被空調室内の空気を第２除湿器により除湿して被空調室内に供給することで、両除湿器全体により除湿された空気の流量を多くして、被空調室内に付着した水を効率的に乾燥させることができる。
したがって、２台の除湿器を用いて夜間の乾燥だけでなく昼間の除湿も効率的に行うことができる。
【００１１】
また、上記の除湿空調装置において、前記切替え部は前記直列状態であるときに、前記被空調室内の空気を前記第１除湿器の入口に供給してもよい。
この発明によれば、被空調室内の換気量が比較的少なくてよい場合等に、外部の空気の被空調室内への導入量を抑えて、被空調室内をより効率的に除湿することができる。
【００１２】
また、上記の除湿空調装置において、前記第１除湿器は、前記第１デシカントロータで除湿させる空気を流すための第１送風機を有し、前記第２除湿器は、前記第２デシカントロータで除湿させる空気を流すための第２送風機を有し、前記第１送風機及び前記第２送風機を制御する制御部を備え、前記制御部は、前記切替え部が前記直列状態であるときに、前記第１送風機及び前記第２送風機の一方を予め定められた第１電力で運転し、前記第１送風機及び前記第２送風機の他方を予め定められた前記第１電力よりも低い第２電力で運転してもよい。
仮に、切替え部が直列状態であるときに、第１送風機及び第２送風機のそれぞれを第１電力で運転すると、各送風機内を流れる空気の流量が、第１送風機及び第２送風機のいずれかを単独で第１電力で運転したときの空気の流量よりも多くなる。
これに対して、第１送風機及び第２送風機の一方を第１電力で運転し、第１送風機及び第２送風機の他方を第２電力で運転すると、各送風機内を流れる空気の流量が、第１送風機及び第２送風機のいずれかを単独で第１電力で運転したときの空気の流量に近くなる。これにより、第１送風機及び第２送風機のそれぞれを第１電力で運転する場合に比べて、除湿空調装置内を流れる空気の流量を抑えて、各送風機の耐久性を向上させることができる。
【００１３】
また、上記の除湿空調装置において、前記制御部は、前記切替え部が前記直列状態であるときに、前記第２送風機を前記第１電力で運転し、前記第１送風機を前記第２電力で運転してもよい。
一般的に、２台の送風機を直列に接続したときに、空気が流れる下流側の送風機の空気の流量を目的の空気の流量程度にした方が、流量の制御が容易になる。この発明によれば、下流側となる第２送風機を第１電力で運転することにより、各送風機内を流れる空気の流量を、第１送風機及び第２送風機のいずれかを単独で第１電力で運転したときの空気の流量近くに精度良く制御することができる。
【発明の効果】
【００１４】
本発明の除湿空調装置によれば、２台の除湿器を用いて夜間の乾燥だけでなく昼間の除湿も効率的に行うことができる。
【図面の簡単な説明】
【００１５】
【図１】本発明の第１実施形態の除湿空調装置の構成を模式的に示す図である。
【図２】同除湿空調装置において切替え部が直列状態であるときの動作を模式的に示す図である。
【図３】同除湿空調装置において切替え部が並列状態であるときの動作を模式的に示す図である。
【図４】同除湿空調装置において切替え部が直列状態であるときの各状態における空気の物性を示した湿り空気線図である。
【図５】本発明の第１実施形態の除湿空調装置の変形例における、切替え部が直列状態であるときの動作を模式的に示す図である。
【図６】本発明の第２実施形態の除湿空調装置の構成を模式的に示す図である。
【図７】同除湿空調装置において切替え部が並列状態であるときの動作を模式的に示す図である。
【発明を実施するための形態】
【００１６】
（第１実施形態）
以下、本発明に係る除湿空調装置及び除湿空調方法の第１実施形態を、図１から図５を参照しながら説明する。
図１に示すように、本実施形態の除湿空調装置１は、第１被空調室（被空調室）１０１に接続して用いられる。例えば、第１被空調室１０１は食肉工場のカット室である。カット室は、大きなブロック状の肉の塊から、小売店のショーケース等に陳列するためにパック詰めされる肉を切り分けるのに用いられる。
除湿空調装置１は、第１除湿器１１Ａと、第２除湿器１１Ｂと、切替え部４６と、制御部７１と、を備えている。
本実施形態では、第１除湿器１１Ａの構成と第２除湿器１１Ｂの構成とは、互いに同一である。このため、第１除湿器１１Ａの構成を、数字に英大文字「Ａ」を付加することで示す。第２除湿器１１Ｂのうち第１除湿器１１Ａと対応する構成を、第１除湿器１１Ａと同一の数字に英大文字「Ｂ」を付加することで示す。これにより、重複する説明を省略する。例えば、第１除湿器１１Ａの第１デシカントロータ１９Ａと第２除湿器１１Ｂの第２デシカントロータ１９Ｂとは、互いに同一の構成である。
【００１７】
〔第１除湿器１１Ａ〕
第１除湿器１１Ａは、空調室１２Ａと、再生室１３Ａと、を有している。空調室１２Ａと再生室１３Ａとは、隔壁１４Ａを介して並設されている。空調室１２Ａ内には、第１供給ファン（第１送風機）１６Ａが設けられている。第１供給ファン１６Ａは、一方向に延在する空調室１２Ａの第１端部内に配置されている。第１供給ファン１６Ａには、定格電力（第１電力）等が予め定められている。第１供給ファン１６Ａは、第１デシカントロータ１９Ａで除湿させる空気を流すためのものである。
再生室１３Ａ内には、第１再生ファン１７Ａが設けられている。第１再生ファン１７Ａは、空調室１２Ａに沿って延在する再生室１３Ａの第１端部内に配置されている。再生室１３Ａの第１端部は、第１除湿器１１Ａの外部に開放されている。
ファン１６Ａ，１７Ａの種類は限定されないが、この例ではファン１６Ａ，１７Ａにはプラグファンが用いられる。これらのファン１６Ａ，１７Ａによって、空調室１２Ａ及び再生室１３Ａ内では、互いに逆方向に空気が流れている。
【００１８】
第１デシカントロータ１９Ａは、空調室１２Ａと再生室１３Ａとに跨って配置されている。第１デシカントロータ１９Ａは、隔壁１４Ａに配置された回転軸２０Ａ周りに回転可能に支持されている。第１デシカントロータ１９Ａの表面には、例えばシリカゲルやゼオライト等の無機系吸着剤や高分子系吸着剤等が含浸されている。空調室１２Ａ内では、第１デシカントロータ１９Ａは空気に含まれる水蒸気を吸着して除去する。第１デシカントロータ１９Ａで水蒸気が吸着されるときに吸着熱が放出されるため、水蒸気が吸着された空気の温度が上昇する。
第１デシカントロータ１９Ａが回転軸２０Ａ周りに回転すると、第１デシカントロータ１９Ａのうち水蒸気を吸着した領域は、再生室１３Ａ内に移動する。再生室１３Ａ内では、第１デシカントロータ１９Ａは空気の保有熱を吸収し、水蒸気を放出する。第１デシカントロータ１９Ａは、図示しない駆動モータにより回転軸２０Ａ周りに回転する。
【００１９】
空調室１２Ａ内には、エアクーラ２２Ａが設けられている。エアクーラ２２Ａは、水蒸気が吸着されて温度が上昇した空気を冷却する。エアクーラ２２Ａは、空調室１２Ａにおいて第１端部とは反対側の第２端部内に配置されている。エアクーラ２２Ａは、第１デシカントロータ１９Ａに対して第１供給ファン１６Ａとは反対側に配置されている。
再生室１３Ａ内には、エアヒータ２３Ａが設けられている。エアヒータ２３Ａは、第１デシカントロータ１９Ａから水蒸気を放出させるために空気を加熱する。エアヒータ２３Ａは、再生室１３Ａにおいて第１端部とは反対側の第２端部内に配置されている。エアヒータ２３Ａは、第１デシカントロータ１９Ａに対して第１再生ファン１７Ａとは反対側に配置されている。再生室１３Ａの第２端部は、第１除湿器１１Ａの外部に開放されている。
【００２０】
第１除湿器１１Ａは、ヒートポンプサイクルを構成するヒートポンプ装置２６Ａを備えている。ヒートポンプ装置２６Ａは、冷媒循環路２７Ａと、圧縮機２８Ａと、膨張弁２９Ａと、前述のエアクーラ２２Ａ、エアヒータ２３Ａとを備えている。圧縮機２８Ａ、膨張弁２９Ａ、エアクーラ２２Ａ、及びエアヒータ２３Ａは、冷媒循環路２７Ａ上に設けられている。
ヒートポンプ装置２６Ａ内に収容される冷媒には、例えば二酸化炭素ガス（ＣＯ２）が用いられている。二酸化炭素ガスは、高圧域で超臨界状態になり、エアヒータ２３Ａで空気を８０℃以上の高温に加熱できる。
【００２１】
冷媒循環路２７Ａのうち、膨張弁２９Ａの入口側の部分、及び出口側の部分から、分岐路３１Ａ，３２Ａが分岐している。分岐路３１Ａ，３２Ａは、膨張タンク３３Ａに接続されている。分岐路３１Ａ，３２Ａには、電磁開閉弁３４Ａ，３５Ａがそれぞれ設けられている。制御部７１により電磁開閉弁３４Ａ，３５Ａの開閉動作が制御されると、膨張タンク３３Ａ内に貯留する冷媒量が変化し、圧縮機２８Ａの吐出圧力が制御される。
圧縮機２８Ａには、駆動モータ３８Ａと、インバータ装置３９Ａと、が接続されている。駆動モータ３８Ａは、圧縮機２８Ａ内の図示しないピストン等を駆動する。インバータ装置３９Ａは、駆動モータ３８Ａの回転数を制御する。
【００２２】
このように構成されたヒートポンプ装置２６Ａは、以下のように動作する。
インバータ装置３９Ａは、駆動モータ３８Ａを所定の回転数で回転させる。圧縮機２８Ａ内でピストン等により圧縮された高圧かつ高温の冷媒は、圧縮機２８Ａから吐出される。吐出された冷媒は、エアヒータ２３Ａ内で凝縮し、エアヒータ２３Ａ周辺の空気を加熱する。エアヒータ２３Ａから流れ出た冷媒は、膨張弁２９Ａで膨張して低圧かつ低温になる。膨張弁２９Ａから流れ出た冷媒は、エアクーラ２２Ａ周辺の空気を冷却する。エアクーラ２２Ａから流れ出た冷媒は、再び圧縮機２８Ａに流れ込み、圧縮機２８Ａ内で圧縮される。
【００２３】
〔第２除湿器１１Ｂ〕
第２除湿器１１Ｂは、第１除湿器１１Ａの空調室１２Ａ、再生室１３Ａ、隔壁１４Ａ、第１供給ファン１６Ａ、第１再生ファン１７Ａ、第１デシカントロータ１９Ａ、エアクーラ２２Ａ、エアヒータ２３Ａ、ヒートポンプ装置２６Ａ等と同一に構成された空調室１２Ｂ、再生室１３Ｂ、隔壁１４Ｂ、第２供給ファン（第２送風機）１６Ｂ、第２再生ファン１７Ｂ、第２デシカントロータ１９Ｂ、エアクーラ２２Ｂ、エアヒータ２３Ｂ、ヒートポンプ装置２６Ｂ等を有している。第２供給ファン１６Ｂは、第２デシカントロータ１９Ｂで除湿させる空気を流すためのものである。
【００２４】
〔切替え部４６〕
切替え部４６は、接続配管４７，４８，４９，５０，５１と、第１開放配管５２と、接続ダンパ５５，５６，５７，５８と、第１開放ダンパ５９と、を備えている。以下では、第１接続ダンパ５５等が開いていて、第１接続ダンパ５５等が設けられた配管内を空気が流れ得る状態のときに、その第１接続ダンパ５５等を各図において白色で示す。一方、第１接続ダンパ５５等が閉じていて、第１接続ダンパ５５等が設けられた配管内を空気が流れない状態のときに、その第１接続ダンパ５５等を各図において黒色で示す。
第１接続配管４７の各端部は、第１除湿器１１Ａの空調室１２Ａの第１端部、第１被空調室１０１にそれぞれ接続されている。第１接続配管４７には、第１接続ダンパ５５が設けられている。第１接続ダンパ５５は、開いた状態と閉じた状態とに切替え可能である。第１接続ダンパ５５は、開度（第１接続配管４７内を流れる空気の流量）が段階的又は連続的に調節可能なダンパであることが好ましい。
第１開放配管５２は、空調室１２Ａの第１端部に接続されている。第１開放配管５２には、第１開放ダンパ５９が設けられている。
【００２５】
第２接続配管４８の各端部は、空調室１２Ａの第２端部、第２除湿器１１Ｂの空調室１２Ｂの第１端部にそれぞれ接続されている。第２接続配管４８には、第２接続ダンパ５６が設けられている。第３接続配管４９の各端部は、空調室１２Ｂの第２端部、第１被空調室１０１にそれぞれ接続されている。
第４接続配管５０の各端部は、空調室１２Ａの第２端部、第１被空調室１０１にそれぞれ接続されている。第４接続配管５０には、第４接続ダンパ５７が設けられている。第５接続配管５１の各端部は、空調室１２Ｂの第１端部、第１被空調室１０１にそれぞれ接続されている。第５接続配管５１には、第５接続ダンパ５８が設けられている。
第１被空調室１０１には、第２開放配管６２が接続され、この第２開放配管６２に第２開放ダンパ６３が設けられていることが好ましい。
接続ダンパ５６，５７，５８、及び開放ダンパ５９，６３は、第１接続ダンパ５５と同様に構成されている。
【００２６】
図２に示すように、第２接続ダンパ５６、開放ダンパ５９，６３が開いた状態で、接続ダンパ５５，５７，５８が閉じた状態のときに、切替え部４６は直列状態Ｃ１になる。直列状態Ｃ１の切替え部４６は、第１除湿器１１Ａ及び第２除湿器１１Ｂを第１被空調室１０１に直列に接続する。切替え部４６は、第１被空調室１０１の外部の空気ＯＡ１を第１除湿器１１Ａの除湿側の流路の入口（空調室１２Ａの第１端部）に供給する。切替え部４６は、第１除湿器１１Ａ及び第２除湿器１１Ｂのそれぞれにより除湿された空気を、第１被空調室１０１に供給する。すなわち、除湿空調装置１は、外部の空気ＯＡ１を第１除湿器１１Ａにより除湿し、さらに第２除湿器１１Ｂにより除湿して、第１被空調室１０１内に供給する直列除湿運転を行う。
一方、図３に示すように、接続ダンパ５５，５７，５８が開いた状態で、第２接続ダンパ５６、開放ダンパ５９，６３が閉じた状態のときに、切替え部４６は並列状態Ｃ２になる。並列状態Ｃ２の切替え部４６は、第１除湿器１１Ａ及び第２除湿器１１Ｂを第１被空調室１０１に並列に接続する。すなわち、除湿空調装置１は、第１被空調室１０１内の空気を第１除湿器１１Ａにより除湿して第１被空調室１０１内に供給すると同時に、第１被空調室１０１内の空気を第２除湿器１１Ｂにより除湿して第１被空調室１０１内に供給する並列乾燥運転を行う。
切替え部４６は、直列状態Ｃ１と並列状態Ｃ２と、に切替え可能である。
【００２７】
制御部７１は、図示はしないが演算回路と、メモリとを備えている。演算回路は、ＣＰＵ（Central Processing Unit）等のプロセッサを備えている。メモリには、演算回路を制御するための制御プログラムが記憶されている。
制御部７１には、ファン１６Ａ，１６Ｂ，１７Ａ，１７Ｂ、電磁開閉弁３４Ａ，３４Ｂ，３５Ａ，３５Ｂ、インバータ装置３９Ａ，３９Ｂ、接続ダンパ５５，５６，５７，５８、及び開放ダンパ５９，６３が接続されている。制御部７１は、ファン１６Ａ，１６Ｂ，１７Ａ，１７Ｂ、電磁開閉弁３４Ａ，３４Ｂ，３５Ａ，３５Ｂ、インバータ装置３９Ａ，３９Ｂ、接続ダンパ５５，５６，５７，５８、及び開放ダンパ５９，６３を制御する。
【００２８】
なお、第１被空調室１０１がカット室である場合には、第１被空調室１０１内で食品を処理する作業中に、第１被空調室１０１内を１０〜１５℃程度の低温に冷やす必要がある。したがって、第１被空調室１０１は、例えば図１に示す公知の温度空調装置１０６を接続して用いられる。
温度空調装置１０６は、吹出しダクト１０７及び吸込みダクト１０８を介して第１被空調室１０１内の空気を循環させて、第１被空調室１０１内の空気の温度を調節する。
【００２９】
次に、以上のように構成された除湿空調装置１を用いた本実施形態の除湿空調方法について説明する。第１被空調室１０１内の空気の温度は、温度空調装置１０６により、一定の温度に調節されているとする。図２及び図３において、空気の流れを矢印で示す。
まず、第１被空調室１０１内に作業者がいる昼間の除湿において、制御部７１は切替え部４６を図２に示す直列状態Ｃ１にして直列除湿運転を行う。このとき、ファン１６Ａ，１６Ｂ，１７Ａ，１７Ｂに定格電力を印加して運転する。外部の空気ＯＡ１は第１開放配管５２を通して、第１除湿器１１Ａの空調室１２Ａ内に供給される。この空気ＯＡ１は、第１デシカントロータ１９Ａにより除湿される。第１デシカントロータ１９Ａは、再生室１３Ａ内に供給される外部の空気ＯＡ２に水蒸気を放出して再生される。水蒸気が放出された空気ＥＡ１は、再生室１３Ａから外部に排出される。
第１デシカントロータ１９Ａで除湿された空気は、第２接続配管４８を通して第２除湿器１１Ｂの空調室１２Ｂ内に供給される。この空気は、第２デシカントロータ１９Ｂにより除湿される。第２デシカントロータ１９Ｂは、再生室１３Ｂ内に供給される外部の空気ＯＡ３に水蒸気を放出して再生される。水蒸気が放出された空気ＥＡ２は、再生室１３Ｂから外部に排出される。
【００３０】
第２デシカントロータ１９Ｂにより除湿された空気は、第３接続配管４９を通して第１被空調室１０１内に供給される。第１被空調室１０１内に供給された空気は、作業者による食品の処理等により発生した水蒸気を吸収し、第２開放配管６２から第１被空調室１０１の外部に排出される。こうして、第１被空調室１０１内の絶対湿度が所定の値に維持される。
切替え部４６が直列状態Ｃ１であると、第１被空調室１０１内の空気は循環しない。第１開放配管５２から供給された外部の空気ＯＡ１は、第１除湿器１１Ａ及び第２除湿器１１Ｂにより２段階に除湿されるため、絶対湿度が大きく低下する。
【００３１】
一方、第１被空調室１０１内に作業者がいない夜間の乾燥において、制御部７１は切替え部４６を図３に示す並列状態Ｃ２にして並列乾燥運転を行う。
第１被空調室１０１から第１接続配管４７を通して排出された空気は、第１除湿器１１Ａの空調室１２Ａ内に供給される。この空気は、第１デシカントロータ１９Ａにより除湿される。第１デシカントロータ１９Ａにより除湿された空気は、第４接続配管５０を通して第１被空調室１０１に供給される。これと同時に、第１被空調室１０１から第５接続配管５１を通して排出された空気は、第２除湿器１１Ｂの空調室１２Ｂ内に供給される。この空気は、第２デシカントロータ１９Ｂにより除湿される。第２デシカントロータ１９Ｂにより除湿された空気は、第３接続配管４９を通して第１被空調室１０１に供給される。
【００３２】
切替え部４６が並列状態Ｃ２であると、第１被空調室１０１内の空気は第１被空調室１０１と除湿空調装置１との間を循環する。第１除湿器１１Ａ及び第２除湿器１１Ｂが第１被空調室１０１に並列に接続されるため、第１被空調室１０１内に供給される除湿された空気の流量が多くなる。
このように、本実施形態の除湿空調方法では、直列除湿運転と並列乾燥運転とを切替えて第１被空調室１０１内の除湿を行う。
【００３３】
（実施例）
以下では、本発明の実施例を具体的に示してより詳細に説明するが、本発明は以下の実施例に限定されるものではない。
切替え部４６が直列状態Ｃ１であるときに、図２に示す除湿空調装置１及び第１被空調室１０１の各状態Ｓ１〜Ｓ５における空気の物性等を測定した。測定した結果を、図４の湿り空気線図に示す。図４中の実線は、第１除湿器１１Ａの第１デシカントロータ１９Ａによる除湿を示し、一点鎖線は、第２除湿器１１Ｂの第２デシカントロータ１９Ｂによる除湿を示す。
状態Ｓ１は、第１開放配管５２内を流れる第１被空調室１０１の外部の空気ＯＡ１である。状態Ｓ１での空気ＯＡ１において、風量は７８１９ｍ３／ｈ、温度（乾球温度）は２８．０℃、相対湿度は７０．０％、絶対湿度は１６．７０ｇ／ｋｇ（ＤＡ）、エンタルピは７０．８ｋＪ／ｋｇ（ＤＡ）であった。
この空気ＯＡ１を、第１デシカントロータ１９Ａで除湿した直後の状態Ｓ２において、空気の物性を測定した。空気は除湿され、第１デシカントロータ１９Ａの吸着熱により温度が５３℃程度に上昇する。
【００３４】
状態Ｓ２における空気は、エアクーラ２２Ａで冷却された後で、第２接続配管４８内の状態Ｓ３になる。状態Ｓ２と状態Ｓ３との間では、空気の絶対湿度がほとんど変化することなく、空気の温度が低下する。状態Ｓ３での空気において、風量は７５６２ｍ３／ｈ、温度は２１．１℃、相対湿度は６４．４％、絶対湿度は１０．０７ｇ／ｋｇ（ＤＡ）、エンタルピは４６．８ｋＪ／ｋｇ（ＤＡ）であった。
状態Ｓ３での空気を、第２デシカントロータ１９Ｂで除湿した直後の状態Ｓ４において、空気の物性を測定した。空気は除湿され、第２デシカントロータ１９Ｂの吸着熱により温度が４２℃程度に上昇する。
状態Ｓ４における空気は、エアクーラ２２Ｂで冷却された後で、第３接続配管４９内の状態Ｓ５になる。状態Ｓ４と状態Ｓ５との間では、空気の絶対湿度がほとんど変化することなく、空気の温度が低下する。状態Ｓ５での空気において、風量は７３２３ｍ３／ｈ、温度は１４．０℃、相対湿度は５１．７％、絶対湿度は５．１６ｇ／ｋｇ（ＤＡ）、エンタルピは２７．１ｋＪ／ｋｇ（ＤＡ）であった。この状態Ｓ５での空気が、第１被空調室１０１内に供給される。
【００３５】
第１被空調室１０１内の状態Ｓ６での空気において、温度は１０．０℃、相対湿度は９０．０％、絶対湿度は６．８６ｇ／ｋｇ（ＤＡ）、エンタルピは２７．３ｋＪ／ｋｇ（ＤＡ）であった。第１被空調室１０１内の状態Ｓ６での空気と第３接続配管４９内の状態Ｓ５での空気とは、エンタルピがほぼ同一である。これにより、外部の空気ＯＡ１を第１被空調室１０１内に取り込むことによる冷却負荷は、ほとんど無いことが分かった。
【００３６】
以上説明したように、本実施形態の除湿空調装置１及び除湿空調方法によれば、昼間の除湿をするときには、第１除湿器１１Ａにより除湿された空気を第２除湿器１１Ｂによりさらに除湿することにより、外部の空気ＯＡ１の絶対湿度が高い場合でもプレクーラを用いることなく、外部の空気ＯＡ１を充分に除湿することができる。一方、夜間の乾燥をするときには、第１被空調室１０１内の空気を第１除湿器１１Ａにより除湿して第１被空調室１０１内に供給すると同時に、第１被空調室１０１内の空気を第２除湿器１１Ｂにより除湿して第１被空調室１０１内に供給することで、両除湿器１１Ａ，１１Ｂ全体により除湿された空気の流量を多くして、第１被空調室１０１内に付着した水を効率的に乾燥させることができる。
したがって、２台の除湿器１１Ａ，１１Ｂを用いて夜間の乾燥だけでなく昼間の除湿も効率的に行うことができる。
【００３７】
なお、図５に示すように、制御部７１は、切替え部４６が直列状態Ｃ１であるときに、第１接続ダンパ５５を開いて、第１被空調室１０１内の空気を第１除湿器１１Ａの除湿側の流路の入口に供給してもよい。
このように制御することで、第１被空調室１０１内の換気量が比較的少なくてよい場合等に、外部の空気ＯＡ１の第１被空調室１０１内への導入量を抑えて、第１被空調室１０１内をより効率的に除湿することができる。
【００３８】
また、制御部７１は、切替え部４６が直列状態Ｃ１であるときに、第２供給ファン１６Ｂを定格電力で運転し、第１供給ファン１６Ａを定格電力よりも低い第２電力で運転してもよい。すなわち、空気の流路の上流側に配置されたファンの入力を下げてもよい。上流側の第１供給ファン１６Ａは、空調室１２Ａ内で生じる圧力損失を補う程度の電力で運転してもよい。
第１除湿器１１Ａと第２除湿器１１Ｂとを直列に接続すると、第１供給ファン１６Ａと第２供給ファン１６Ｂとが直列に接続される。切替え部４６が直列状態Ｃ１であるときに、ファン１６Ａ，１６Ｂのそれぞれを定格電力で運転すると、各ファン１６Ａ，１６Ｂ内を流れる空気の流量が、第１供給ファン１６Ａ及び第２供給ファン１６Ｂのいずれかを単独で定格電力で運転したときの空気の流量よりも多くなる。
これに対して、第２供給ファン１６Ｂを定格電力で運転し、第１供給ファン１６Ａを定格電力よりも低い第２電力で運転すると、各ファン１６Ａ，１６Ｂ内を流れる空気の流量が、第１供給ファン１６Ａ及び第２供給ファン１６Ｂのいずれかを単独で定格電力で運転したときの空気の流量に近くなる。これにより、除湿空調装置１内を流れる空気の流量を抑えて、各ファン１６Ａ，１６Ｂの耐久性を向上させることができる。
【００３９】
一般的に、２台の送風機を直列に接続したときに、空気が流れる下流側の送風機の空気の流量を目的の空気の流量程度にした方が、流量の制御が容易になる。本実施形態では、下流側となる第２供給ファン１６Ｂを定格電力で運転することにより、各ファン１６Ａ，１６Ｂ内を流れる空気の流量を、第１供給ファン１６Ａ及び第２供給ファン１６Ｂのいずれかを単独で定格電力で運転したときの空気の流量近くに精度良く制御することができる。
なお、第１電力は、ファン１６Ａ，１６Ｂの定格電力よりも小さい電力でもよい。切替え部４６が直列状態Ｃ１であるときに、第１供給ファン１６Ａを定格電力で運転し、第２供給ファン１６Ｂを定格電力よりも低い第２電力で運転してもよい。
【００４０】
各ファン１６Ａ，１６Ｂを電圧や電流で制御してもよい。つまり、各ファン１６Ａ，１６Ｂに対して電圧や電流を予め定めておき、ファン１６Ａ，１６Ｂの一方を予め定めた第１電圧又は第１電流で運転し、ファン１６Ａ，１６Ｂの他方を第１電圧又は第１電流よりも低い第２電圧又は第２電流で運転してもよい。ただし、電力は電圧と電流との積であることから、各ファン１６Ａ，１６Ｂを電圧や電流で制御することは、各ファン１６Ａ，１６Ｂを電力で制御することを意味する。
【００４１】
（第２実施形態）
次に、本発明の第２実施形態について図６及び図７を参照しながら説明するが、前記実施形態と同一の部位には同一の符号を付してその説明は省略し、異なる点についてのみ説明する。
図６に示すように、本実施形態の除湿空調装置２は、第１被空調室１０１及び第２被空調室１１１に接続して用いられる。例えば、第２被空調室１１１は食肉工場の解体室である。解体室は、屠殺された家畜から大きなブロック状の肉の塊を取出すのに用いられる。第２被空調室１１１内は、夜間の乾燥を行う必要があるが、昼間の除湿を行う必要はなく、第２被空調室１１１内は、低温に冷やす必要もない。
【００４２】
除湿空調装置２は、第１実施形態の除湿空調装置１の切替え部４６に代えて、切替え部７６を備えている。切替え部７６は、切替え部４６の各構成に加えて、第６接続配管７７と、接続ダンパ７９，８０と、を備えている。
第３接続配管４９には、第３接続ダンパ７９が設けられている。第５接続配管５１の各端部は、第２除湿器１１Ｂの空調室１２Ｂの第１端部、第２被空調室１１１にそれぞれ接続されている。第６接続配管７７の各端部は、空調室１２Ｂの第２端部、第２被空調室１１１にそれぞれ接続されている。第６接続配管７７には、第６接続ダンパ８０が設けられている。
制御部７１には、接続ダンパ７９，８０が接続されている。接続ダンパ７９，８０は、制御部７１により制御される。
【００４３】
図６に示すように、接続ダンパ５６，７９、開放ダンパ５９，６３が開いた状態で、接続ダンパ５５，５７，５８，８０が閉じているときに、切替え部７６は、第１除湿器１１Ａ及び第２除湿器１１Ｂを第１被空調室１０１に直列に接続する直列状態Ｃ３になる。
一方、図７に示すように、接続ダンパ５５，５７，５８，８０が開いた状態で、接続ダンパ５６，７９、開放ダンパ５９，６３が閉じた状態のときに、切替え部７６は、第１除湿器１１Ａを第１被空調室１０１に接続し、第２除湿器１１Ｂを第２被空調室１１１に接続した並列状態Ｃ４になる。
【００４４】
次に、以上のように構成された除湿空調装置２の動作について説明する。
まず、第１被空調室１０１内及び第２被空調室１１１内に作業者がいる昼間の除湿において、制御部７１は切替え部７６を図６に示す直列状態Ｃ３にする。このとき、外部の空気ＯＡ１は第１実施形態と同様にデシカントロータ１９Ａ，１９Ｂで除湿され、第１被空調室１０１内に供給される。
一方、第１被空調室１０１内及び第２被空調室１１１内に作業者がいない夜間の乾燥において、制御部７１は切替え部７６を図７に示す並列状態Ｃ４にする。
第１被空調室１０１から排出された空気は、第１接続配管４７を通して第１除湿器１１Ａの空調室１２Ａ内に供給される。第１除湿器１１Ａの第１デシカントロータ１９Ａで除湿された空気は、第４接続配管５０を通して第１被空調室１０１内に供給される。第１被空調室１０１内に供給された空気は、第１被空調室１０１内に付着した水等を乾燥させる。
第２被空調室１１１内から排出された空気は、第５接続配管５１を通して第２除湿器１１Ｂの空調室１２Ｂ内に供給される。第２除湿器１１Ｂの第２デシカントロータ１９Ｂで除湿された空気は、第６接続配管７７を通して第２被空調室１１１内に供給される。第２被空調室１１１内に供給された空気は、第２被空調室１１１内に付着した水等を乾燥させる。
【００４５】
以上説明したように、本実施形態の除湿空調装置２によれば、２台の除湿器１１Ａ，１１Ｂを夜間の乾燥だけでなく昼間の除湿にも効率的に用いることができる。
【００４６】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
例えば、前記第１実施形態及び第２実施形態では、除湿空調装置１，２が制御部７１を備えずに、切替え部４６，７６の直列状態Ｃ１，Ｃ３と並列状態Ｃ２，Ｃ４との切替えを、除湿空調装置１，２の使用者が手動で行ってもよい。
除湿空調装置が除湿器を３台以上備えるように構成してもよい。
【符号の説明】
【００４７】
１，２  除湿空調装置
１１Ａ  第１除湿器
１１Ｂ  第２除湿器
１６Ａ  第１供給ファン（第１送風機）
１６Ｂ  第２供給ファン（第２送風機）
１９Ａ  第１デシカントロータ
１９Ｂ  第２デシカントロータ
４６，７６  切替え部
７１  制御部
１０１  第１被空調室（被空調室）
Ｃ１，Ｃ３  直列状態
Ｃ２，Ｃ４  並列状態
ＯＡ１  外部の空気
【図１】
2019056521.tif 000003
【図２】
2019056521.tif 000004
【図３】
2019056521.tif 000005
【図４】
2019056521.tif 000006
【図５】
2019056521.tif 000007
【図６】
2019056521.tif 000008
【図７】
2019056521.tif 000009